(57)【要約】【課題】  作業性に優れ低コストなビニルハウスおよびビニルハウス用保持具を提供することを目的とする。【解決手段】  上部巻上パイプ１１１、サイド巻上パイプ１１４を用いて屋根部フィルム２０１、側面部フィルム２０２の開閉を行うビニルハウス１００に設けられ、各巻上パイプと各フィルムとをビニルハウス１００の骨材の上から押える複数の並列したベルト１２１にその巻回により張りまたは弛みを持たせるベルト取付軸１２２を保持する保持具１３０であって、保持具１３０は、ベルト取付軸１２２の長手方向に沿って配される平板基調のベルトペット１３１と、ベルトペット１３１上の長手方向に複数列設しており、ベルト取付軸１２２を貫通させて保持するアイボルト１３２と、ベルトペット１３１と共にホロパイプ１０２を挟んで、ベルトペット１３１を固定するベルトペット取付具１３３とを有している。【選択図】図１
2005058134.tif 000002
【特許請求の範囲】
【請求項１】
フィルム巻付軸を用いてフィルムを巻上げ巻下げることによって開閉を行うビニルハウスに設けられ、前記フィルムと前記フィルム巻付軸とを前記ビニルハウスの骨材の上から押える複数の並列したベルトに一斉に張りを持たせるベルト取付軸を保持する保持具であって、
前記ベルト取付軸の長手方向に沿って複数列設され、当該ベルト取付軸を保持することによって、前記ベルトの張力による前記ベルト取付軸の変位変形を防止する軸保持体と、
前記ベルト取付軸の長手方向に沿って配され、前記軸保持体が取付けられる基体と、
前記基体と共に前記骨材を挟み込んで、当該基体を固定する基体取付具と、
が設けられていることを特徴とする保持具。
【請求項２】
前記基体には、当該基体と一体的に形成された凸条体が当該基体の長手方向に沿って設けられていることを特徴とする請求項１に記載の保持具。
【請求項３】
前記フィルムの閉時に前記フィルム巻付軸が前記凸条体と前記軸保持体との間に位置することが可能なように、前記凸条体が前記軸保持体の列との間に前記フィルム巻付軸分以上の間隔をあけて設けられていることを特徴とする請求項２に記載の保持具。
【請求項４】
前記ビニルハウスは、幾つかの部分に分けて開閉を行うことができるよう少なくとも上下に分割された複数枚の前記フィルムによって覆われており、
当該分割された位置に配する保持具については、前記基体下端部の骨材と対向する面に、下側のフィルムの上端部が止付けられたフィルム止付具を前記骨材と共に侠着することによって当該フィルム上端部分の密閉性を高める凹条部が設けられていることを特徴とする請求項１、２または３に記載の保持具。
【請求項５】
フィルム巻付軸を用いてフィルムを巻上げ巻下げることによって開閉を行うビニルハウスに設けられ、前記フィルムと前記フィルム巻付軸とを前記ビニルハウスの骨材の上から押える複数の並列したベルトにその巻回により張りまたは弛みを持たせるベルト取付軸を保持する保持具であって、
前記ベルト取付軸の長手方向に沿って配される平板基調の板である板体と、
前記板体上に当該板体の長手方向に複数列設して前記ベルト取付軸を貫通させて当該ベルト取付軸を保持するアイボルトと、
前記板体と共に前記骨材を挟んで、前記板体を固定する板体取付具と、
が設けられ、
前記板体には、前記アイボルトの列の上部に当該板体の長手方向に沿って、前記フィルム巻付軸分以上の間隔をあけて凸条体が設けられていることを特徴とする保持具。
【請求項６】
請求項１〜５のいずれか一つに記載の保持具を用いたことを特徴とするビニルハウス。
【発明の詳細な説明】
【技術分野】
【０００１】
本発明は、ビニルハウスのベルト取付軸を保持する保持具およびその保持具を用いたビニルハウスに関し、より詳細には、ビニルハウスのフィルムとこのフィルムを巻上げ巻き下げることによってビニルハウスの開閉を行うフィルム巻付軸とを共に骨材の上から押えるベルトに張りを持たせるベルト取付軸を保持する保持具およびその保持具を用いたビニルハウスに関する。
【背景技術】
【０００２】
従来、野菜、花卉、果樹などの栽培においてビニルハウスが用いられている。
図５は、従来のビニルハウスの外観構成図である。図５に示したように、従来のビニルハウス５００は、アーチ状に張られたパイプ枠組５０１の全面にビニルフィルム５０２（以下フィルムと適宜称する）を張り、このフィルム５０２をベルト５０３で外側から押え付け強風などによるバタツキや吹き上げを防止する構造を有している。ベルト５０３の上端部はパイプ枠組５０１に固定されており、下端部は一部を地中に埋設されたスクリューアンカー５０４の上部に通されたベルト取付軸５０５にベルトフック５０６とスプリング５０７とを介して取付けられている。
【０００３】
一般的に、ビニルハウスでは、室内の温度や湿度を適正な状態に維持するために、側面部分や屋根部分のフィルムを必要に応じて開閉している。ビニルハウス５００の場合では、フィルムの開閉作業は次のようにして行われる。先ず作業者はベルト５０３を持ち上げたり緩めたりしてフィルム５０２の移動をし易くする。次に、フィルム５０２を巻上げたり閉じたりして所望の広さの開放面とする。最後にベルト５０３を張って再度フィルム５０２を押えつける。以上の一連の動作により開閉作業が終了する。
【発明の開示】
【発明が解決しようとする課題】
【０００４】
しかしながら、従来の技術では以下の問題点があった。
従来のビニルハウス５００では、ベルト５０３の数が多くベルト取付軸５０５には非常に大きな力がかかる。したがって、作業者は、一回一回、ベルトフック５０６をはずしたり、スプリングを緩めたりしてフィルムの開閉作業をする必要があり、作業負担が大きいという問題点があった。しかも、フィルムの開閉は、一日に何度も行う場合があり、作業負担が極めて大きくなるという問題点があった。
【０００５】
しかも、ベルト取付軸５０５にかかる力が非常に大きいため、これを留めておくにはスクリューアンカー５０４を用いる必要があるが、この埋設に大きな作業負担がかかるという問題点があった。また、このアンカー機構のビニルハウスの設置費に占める割合は約３割であり、少しでも低価格に寄与できる簡便な構成のビニルハウスが望まれている。
【０００６】
一方、近年では、生産効率を向上させるためビニルハウスの大型化が進んでおり、これらの作業負担や費用負担の増大は著しい。しかも、農業従事者が高齢化している現状にあっては、労力のかからないビニルハウスが望まれている。
【０００７】
本発明は上記に鑑みてなされたものであって、作業性に優れ低コストなビニルハウスおよびビニルハウス用保持具を提供することを目的とする。
【課題を解決するための手段】
【０００８】
上記の目的を達成するために、請求項１に記載の保持具は、フィルム巻付軸を用いてフィルムを巻上げ巻下げることによって開閉を行うビニルハウスに設けられ、前記フィルムと前記フィルム巻付軸とを前記ビニルハウスの骨材の上から押える複数の並列したベルトに一斉に張りを持たせるベルト取付軸を保持する保持具であって、前記ベルト取付軸の長手方向に沿って複数列設され当該ベルト取付軸を保持することによって前記ベルトの張力による前記ベルト取付軸の変位変形を防止する軸保持体と、前記ベルト取付軸の長手方向に沿って配され、前記軸保持体が取付けられる基体と、前記基体と共に前記骨材を挟み込んで、当該基体を固定する基体取付具とが設けられていることを特徴とする。
【０００９】
すなわち請求項１にかかる発明は、ベルトの張力が一斉にかかるベルト取付軸を直線的に保持して円滑な軸回動を可能とすると共に、基体も骨材としてビニルハウスの構成要素となり部品点数を少なくしつつ強度も向上させる。なお、ベルトとは一般的には幅のある帯状のものを意味するが、本発明におけるベルトとは、これに限定されず、フィルムを骨材との間で押え付けることができるものであればよく、例えば細いワイヤー状のものも含むものとする。
【００１０】
また、請求項２に記載の保持具は、請求項１に記載の保持具において、前記基体に、当該基体と一体的に形成された凸条体が当該基体の長手方向に沿って設けられていることを特徴とする。すなわち請求項２にかかる発明は、簡単な構成で基体の強度を向上させることができ、その変形を防止する。
【００１１】
また、請求項３に記載の保持具は、請求項２に記載の保持具において、前記フィルムの閉時に前記フィルム巻付軸が前記凸条体と前記軸保持体との間に位置することが可能なように、前記凸条体が前記軸保持体の列との間に前記フィルム巻付軸分以上の間隔をあけて設けられていることを特徴とする。すなわち請求項３にかかる発明は、フィルム巻付軸を凸条体と軸保持体との間にいわば埋設することができ、これにより、強風下でもフィルム巻付軸が吹き上がるのを強固に防止可能となる。
【００１２】
また、請求項４に記載の保持具は、請求項１、２または３に記載の保持具において、前記ビニルハウスが、幾つかの部分に分けて開閉を行うことができるよう少なくとも上下に分割された複数枚の前記フィルムによって覆われており、当該分割された位置に配する保持具については、前記基体下端部の骨材と対向する面に、下側のフィルムの上端部が止付けられたフィルム止付具を前記骨材と共に侠着することによって当該フィルム上端部分の密閉性を高める凹条部が設けられていることを特徴とする。
【００１３】
すなわち請求項４にかかる発明は、保持具の下側に位置するフィルム止付具を骨材と凹条部とで侠着することによってフィルム上端部の密閉性が向上するので、フィルム上端部分からの雨漏り、虫の侵入、暖気の流出を防止することができる。
【００１４】
また、請求項５に記載の保持具は、フィルム巻付軸を用いてフィルムを巻上げ巻下げることによって開閉を行うビニルハウスに設けられ、前記フィルムと前記フィルム巻付軸とを前記ビニルハウスの骨材の上から押える複数の並列したベルトにその巻回により張りまたは弛みを持たせるベルト取付軸を保持する保持具であって、前記ベルト取付軸の長手方向に沿って配される平板基調の板である板体と、前記板体上に当該板体の長手方向に複数列設して前記ベルト取付軸を貫通させて当該ベルト取付軸を保持するアイボルトと、前記板体と共に前記骨材を挟んで、前記板体を固定する板体取付具とが設けられ、前記板体には、前記アイボルトの列の上部に当該板体の長手方向に沿って、前記フィルム巻付軸分以上の間隔をあけて凸条体が設けられていることを特徴とする。
【００１５】
すなわち請求項５にかかる発明は、ベルトの張力が一斉にかかるベルト取付軸を直線的に保持して円滑な軸回動を可能とすると共に、基体も骨材としてビニルハウスの構成要素となり部品点数を少なくしつつ強度も向上させる。同時に、フィルム巻付軸を凸条体と軸保持体との間にいわば埋設することができ、強風下でもフィルム巻付軸が吹き上がるのを強固に防止可能となる。
【００１６】
また、請求項６に記載のビニルハウスは、請求項１〜５のいずれか一つに記載の保持具を用いたので、上述の作用ないし効果を奏するビニルハウスを提供可能となる。
【発明の効果】
【００１７】
本発明の保持具（請求項１）は、ベルトの張力が一斉にかかるベルト取付軸を直線的に保持して円滑な軸回動を可能とすると共に、基体も骨材としてビニルハウスの構成要素となり部品点数を少なくしつつ強度も向上させるので、作業性に優れ低コストなビニルハウスを提供可能となる。
【００１８】
また、本発明の保持具（請求項２）は、作業性に優れ低コストであって、より高強度なビニルハウスを提供可能となる。
【００１９】
また、本発明の保持具（請求項３）は、フィルム巻付軸を凸条体と軸保持体との間にいわば埋設することができ、これにより、作業性に優れ低コストであって、強風下でもフィルム巻付軸が吹き上がるのを強固に防止可能なビニルハウスを提供可能となる。
【００２０】
また、本発明の保持具（請求項４）は、作業性に優れ低コストなビニルハウスであって、さらに、保持具の下側に位置するフィルム止付具を骨材と凹条部とで侠着することによってフィルム上端部の密閉性が向上し、フィルム上端部分からの雨漏り、虫の侵入、暖気の流出を防止可能なビニルハウスを提供可能となる。
【００２１】
また、本発明の保持具（請求項５）は、ベルトの張力が一斉にかかるベルト取付軸を直線的に保持して円滑な軸回動を可能とすると共に、基体も骨材としてビニルハウスの構成要素となり部品点数を少なくしつつ強度も向上させるので、作業性に優れ低コストなビニルハウスを提供可能となり、同時に、強風下でもフィルム巻付軸が吹き上がるのを強固に防止可能なビニルハウスを提供可能となる。
【発明を実施するための最良の形態】
【００２２】
以下、本発明の実施の形態を図面を参照しながら詳細に説明する。
図１は、本発明の保持具を設けたビニルハウスを示した説明図である。図２は、本発明の保持具を設けたビニルハウスを妻面側から見た断面図である。図３は、図２に示した保持具の固定部分Ａを拡大した説明図である。図４は、本発明の保持具をホロパイプに固定した部分の概略図である。
【００２３】
ビニルハウス１００は図２に示したように、左右対をなし地面に一部埋設しつつ垂直に立てられた主骨パイプ１０１と、主骨パイプ１０１の上にかぶせるように設けられ弧を描く曲パイプであるホロパイプ１０２とによりアーチ状の基本骨格を形成し、これをホロパイプ１０２に垂直な方向（左右の主骨パイプにより形成される仮想面に垂直な方向（以降長手方向と適宜称する。））に等間隔に配列し、ホロパイプ１０２の頂部を峰パイプ１０３で連結した骨格構造を有する。
【００２４】
ビニルハウス１００の骨格としては、この他、片側の主骨パイプ１０１同士を堅強に連結する縦通しパイプ１０４と、左右対の主骨パイプ１０１を堅強に連結する横通しパイプ１０５と、長手方向に渡されホロパイプ１０２同士を連結する母屋パイプ１０６とを適宜有する。図２に示した例では、縦通しパイプ１０４は、主骨パイプ１０１上端部に一渡し、それより下方にもう一渡し設けている。また、横通しパイプ１０５は、主骨パイプ１０１上部で縦通しパイプ１０４と交差させて設けている。また、母屋パイプ１０６は、峰パイプ１０３の左右にそれぞれ一対設けている。なお、峰パイプ１０３とホロパイプ１０２の交差部に適宜ジョイント１０７を設けここでホロパイプ１０２を継ぐようにしている。
【００２５】
ビニルハウス１００は、上述した骨格構造に透明や半透明のフィルムを覆って形成されたものである。このフィルムは、ビニルハウスの屋根部分に張られた屋根部フィルム２０１と、側面部分に張られた側面部フィルム２０２と、妻面部分に張られた妻面部フィルムと２０３とからなる。屋根部フィルム２０１と、側面部フィルム２０２とはそれぞれ、温度調整や換気もしくは直射日光による土壌殺菌を目的として、その一部を開放できる構造としている（図１参照）。
【００２６】
屋根部フィルム２０１の開放機構（以降上部開放機構と適宜称する。）は、ホロパイプ１０２の上部長手方向に渡したパイプであって屋根部フィルム２０１下端部を巻着した上部巻上パイプ１１１と、この上部巻上パイプ１１１を軸回動させつつホロパイプ１０２上を転がすことにより屋根部フィルム２０１を巻上げもしくは巻き下げる上部巻取装置１１２と、上部巻取装置１１２に動力を伝達する上部ハンドル１１３とにより構成される。なお、開閉可能な屋根部フィルム２０１の上端部は、屋根部分の頂部付近に設けられたフィルム止めであるビニペット１４１Ａを用いて固定されている。
【００２７】
また、側面部フィルム２０２の開放機構（以下、サイド開放機構と適宜称する。）も同様に、ホロパイプ１０２の下部長手方向に渡したパイプであって側面部フィルム２０２下端部を巻着したサイド巻上パイプ１１４と、このサイド巻上パイプ１１４を軸回動させつつホロパイプ１０２上を転がすことにより側面部フィルム２０２を巻上げもしくは巻き下げるサイド巻取装置１１５と、サイド巻取装置１１５に動力を伝達するサイドハンドル１１６とにより構成される。
【００２８】
なお、開閉可能な側面部フィルム２０２の上端部は、側面上部に設けられたビニペット１４１Ｂによって固定されている。なお、妻面部分、屋根部分、側面部分に張られたフィルムのうち開閉できない部分は固定張りされており、これらの部分は適宜配されたビニペット１４１Ａ〜１４１Ｄによって一定間隔で固定されている。
【００２９】
ビニルハウス１００は、ホロパイプ１０２によりアーチ状に形成された屋根部分に張られた状態の屋根部フィルム２０１と、上部開放機構により巻き取られた状態の屋根部フィルム２０１とのいずれをも押え付けることのできる構造としている。この屋根部フィルム２０１の押付機構（以降上部押付機構と適宜称する。）は屋根部フィルム２０１をホロパイプ１０２との間で弧に沿って挟み込むベルト１２１と、ビニルハウス１００の側面上部に長手方向へ配し複数のベルト１２１それぞれの下端部が巻着されたベルト取付軸１２２と、ベルト取付軸１２２を軸回動させることでベルトに一斉に張りや緩みを持たせるベルト締付機１２３とにより構成される。
【００３０】
ベルト取付軸１２２は、ビニルハウス１００の側面上部に長手方向に沿って配された保持具１３０によって保持されている。ベルト１２１の上端部は、屋根の頂部に設けられたビニペット１４１Ａによって固定されている。また、ベルト締付機１２３は、支柱パイプ１２４に固定され、支柱パイプ１２４は地中に一部埋設したコンクリートアンカー１２５に固定されている。
【００３１】
このような上部押付機構を有するビニルハウス１００における屋根部フィルム２０１の開閉作業は以下のように行われる。先ず、作業者はベルト取付軸１２２を軸回動させてベルト１２１を緩める。次に、上部巻上パイプ１１１を用いて屋根部フィルム２０１の巻上げ巻下げを行い必要な面積の開放面を作る。最後に再度ベルト取付軸１２２を軸回動させてベルト１２１を締付け、屋根部フィルム２０１と上部巻上パイプ１１１とを共にホロパイプ１０２に押え付けて作業は完了する。
【００３２】
ベルト取付軸１２２の保持具１３０は、ベルト取付軸１２２の長手方向に沿って配されたベルトペット１３１と、ベルトペット１３１上にベルトペット１３１の長手方向に沿って複数列設するアイボルト１３２と、ベルトペット１３１をホロパイプ１０２に固定するベルトペット取付具１３３と、ボルト１３４と、ナット１３５とから構成されている（図１、図３、図４参照）。
【００３３】
保持具１３０は、開閉可能な屋根部フィルム２０１と側面部フィルムとの境となる位置近傍に設けられ、屋根部フィルム２０１が完全に閉じられた場合の上部巻上パイプ１１１はこの保持具１３０と略同じ位置に配される。また、開閉可能な側面部フィルム２０２を固定するビニペット１４１Ｂは保持具１３０下の方に位置する。以下に、さらに詳しい保持具１３０の説明を行う。
【００３４】
ベルトペット１３１は、幅約２０ｃｍの平板基調の鋼板である。ベルトペット１３１の上方部分にはその長手方向に沿って凸条体１３１ａが形成されている。凸条体１３１ａを設けることによりベルトペット１３１の強度が増すので、ベルトの張力に基づくベルトペットの変形を防止することができる。
【００３５】
ベルトペット１３１下端部のホロパイプ１０２と対向する面には、ベルトペットの長手方向に沿って凹条部１３１ｂが設けられている。この凹条部１３１ｂとホロパイプ１０２との間に側面部フィルム２０２の上端部を固定するビニペット１４１Ｂを侠着して、側面部フィルム２０２の上端部の密閉性を向上させる構成としている。これにより、側面部フィルム２０２上端部からの雨漏り、虫の侵入、暖気の流失が防止され、ビニルハウス内を適正な環境に保つことができる。
【００３６】
アイボルト１３２の列は、凸条体１３１ａの下部に上部巻上パイプ１１１の径以上の間隔をあけて設けられている。アイボルト１３２はベルト取付軸１２２を先端部分の穴１３２ａに貫通させて保持する。アイボルト１３２がベルト取付軸１２２をこのように保持しているので、ベルト１２１の張力によるベルト取付軸１２２の上方への変位変形を防止することができる。
【００３７】
また、アイボルト１３２のネジ部分１３２ｂの調節により、穴１３２ａの位置の調整（アイボルト１３２の高さ調整）を行うことができるので、ベルト取付軸１２２を直線に保つことができ、ベルト張力調整の際のベルト取付軸１２２の軸回動を円滑に行わせることができる。
【００３８】
ベルトペット取付具１３３は鋼板であり、その中央に縦方向に沿って設けられた略半円柱形の凹条部１３３ａと、この凹状部１３３ａの左右に設けられた平坦部１３３ｂとを有している。この凹状部１３３ａとベルトペット１３１とでホロパイプ１０２を挟込み、さらに平坦部１３３ｂとベルトペット１３１とを密着させてボルト１３４とナット１３５とでネジ止めすることにより保持具１３０が堅強にホロパイプ１０２に固定される。また、ベルトペット取付具１３３は、ベルトペットをホロパイプ１０２に取り付けるだけでなく、ベルトペット１３１を裏側から補強する役割を果たしている。
【００３９】
屋根部フィルム２０１を巻上げていない場合の上部巻上パイプ１１１は、ベルトペット上のアイボルト１３２の列と凸条体１３１ａとの間に配される（図３参照）。これにより、屋根部フィルム２０１を完全に閉じた際に、上部巻上パイプ１１１が風にあおられても、ベルト１２１が上部巻上パイプ１１１を押えると共に凸条体１３１ａが障壁となって、巻上げ方向に移動するのを防止する。
【００４０】
このように、屋根部フィルム２０１を閉じた際の上部巻上パイプ１１１の固定をより確実に行うことで、ビニルハウス１００の密閉性が向上すると共に、風によって上部巻上パイプ１１１があおられフィルムや上部巻上パイプ１１１自身が破損するのを防止することができる。
【００４１】
ビニルハウス１００は、ホロパイプ１０２により形成された側面部分に張られた状態の側面部フィルム２０２とサイド開放機構により巻き取られた状態の側面部フィルム２０２とをいずれも押え付けることのできる構造としている。この側面部フィルム２０２の押付機構（以降サイド押付機構と適宜称する）は上部押付機構と同様にベルト１２１、ベルト取付軸１２２、ベルト締付機１２３とからなり、ベルト取付軸１２２を軸回動させることによってベルト１２１の張力を調整することができる構成となっている。
【００４２】
サイド押付機構のベルト取付軸１２２は上述したのと同様の保持具１３０によって保持されている。保持具１３０は、開閉可能な側面部フィルム２０２とこの下方に設けられた固定張りの側面部フィルム２０２との境となる位置近傍に設けられており、側面部フィルム２０２を巻上げていない場合のサイド巻上パイプ１１４は、ベルトペット１３１上のアイボルト１３２の列と凸条体１３１ａとの間に配される。
【００４３】
側面部フィルム２０２を巻上げてない場合のサイド巻上パイプ１１４を、凸条体１３１ａとアイボルト１３２との間に配することによって、上述した上部巻上パイプ１１１の場合と同様に、サイド巻上パイプ１１４の固定をより確実に行うことができる。
【００４４】
また、保持具１３０下方には、開閉可能な側面部フィルム２０２の下方に設けられた固定張りの側面部フィルム２０２上端部を固定するビニペット１４１Ｄが配されている。ベルトペット１３１の凹条部とホロパイプ１０２とでビニペット１４１Ｄを侠着することにより、上述したビニペット１４１Ｂの場合と同様に、固定張りされた側面部フィルム２０２の上部の密閉性が高くなる。
【００４５】
なお、本発明の保持具１３０はホロパイプ１０２上の所望の位置に設けることができるので、上述した実施の形態のように開閉できる箇所毎にベルト取付軸と保持具とを設けることが可能となり、フィルムや巻上パイプの押え付けをより効果的に行うことができる。また、開放面が広いビニルハウスにおいても、開閉できる箇所近傍にベルト取付軸と保持具とを設けることによって、しっかりとフィルムと巻上パイプとを固定することができる。
【００４６】
また、本発明の保持具１３０のベルトペット１３１は、一本もの、或いは長さ４〜５ｍのものを適宜中継ぎしたものいずれであってもよい。ベルトペット１３１の中継ぎは、ベルトペット取付具１３３を用いたベルトペット１３１の固定部分で行えばよい。また、ベルトペット１３１およびベルトペット取付具１３３の材質は上述した実施の形態に限定されるものではなく、バンドの張力に耐え得る強度を有するものであえればよい。また、ベルトペット１３１の幅は上述した実施の形態に限定されるものでなく、ビニルハウスの規模や開放機構の広さに応じて変化させればよい。
【図面の簡単な説明】
【００４７】
【図１】本発明の保持具を設けたビニルハウスの外観構成を示した説明図である。
【図２】本発明の保持具を設けたビニルハウスを妻面側から見た断面図である。
【図３】図２に示した保持具の固定部分Ａを拡大した説明図である。
【図４】本発明の保持具をホロパイプに固定した部分の概略図である。
【図５】従来のビニルハウスの外観構成を示した説明図である。
【符号の説明】
【００４８】
１００    ビニルハウス
１０２    ホロパイプ
１１１    上部巻上パイプ
１１４    サイド巻上パイプ
１２１    ベルト
１２２    ベルト取付軸
１３０    保持具
１３１    ベルトペット
１３１ａ  凸条体
１３１ｂ  凹条部
１３２    アイボルト
１３３    ベルトペット取付具
１３３ａ  凹条部
１３３ｂ  平坦部
１３４    ボルト
１３５    ナット
２０１    屋根部フィルム
２０２    側面部フィルム
【図１】
2005058134.tif 000003
【図２】
2005058134.tif 000004
【図３】
2005058134.tif 000005
【図４】
2005058134.tif 000006
【図５】
2005058134.tif 000007